(57)【特許請求の範囲】
【請求項１】
側壁により凹部が設けられたパッケージと該パッケージの前記側壁に前記凹部を塞ぐように接合された透光性部材とで内部に形成された放電空間を有する容器部材と、
前記放電空間内に封入された不活性ガスと、
対向する前記側壁に設けられているとともに、互いに対向するように配置された対向部を有する一対の放電用電極と、
前記一対の放電用電極の下方に位置するとともに、平面透視において前記凹部の底面を囲むように前記パッケージの内部に設けられた環状の放電誘発用電極と
を備えており、
前記一対の放電用電極は、平面透視において前記対向部が前記放電誘発用電極の内周よりも内側に位置していることを特徴とする発光装置。
【請求項２】
前記パッケージは、対向する前記側壁に一対の段差部を有しており、前記一対の放電用電極は、前記一対の段差部に設けられていることを特徴とする請求項１に記載の発光装置。
【請求項３】
前記一対の放電用電極は、先端同士が対向するように配置されていることを特徴とする請求項１または請求項２に記載の発光装置。
【請求項４】
前記放電誘発用電極は、前記放電空間を複数個所取り囲んで設けられていることを特徴とする請求項１乃至請求項３のいずれかに記載の発光装置。
【請求項５】
前記パッケージの内部であって、平面視して、前記放電空間と重なる領域に平面状放電誘発用電極が設けられていることを特徴とする請求項１乃至請求項４のいずれかに記載の発光装置。
【請求項６】
前記パッケージが、セラミックスからなることを特徴とする請求項１乃至請求項５のいずれかに記載の発光装置。
【請求項７】
請求項１乃至請求項６のいずれかに記載の発光装置が搭載された電子機器。
【発明の詳細な説明】
【技術分野】
【０００１】
本発明は、例えば、放電灯などの発光装置およびそれを備えた電子機器に関するものである。
【背景技術】
【０００２】
従来、例えば、放電灯などの発光装置は、ガラス管内に不活性ガスが充填された構造が知られている。従来の発光装置において、一対の放電用電極は、ガラス管の端部から放電空間内に突き出るような状態でガラス管に固定されており、放電誘発用電極は、ガラス管の外周部に設けられている。このような放電灯としては、例えば、特許文献１に開示されたものがある。
【先行技術文献】
【特許文献】
【０００３】
【特許文献１】特開平０９―１８０６７７号公報
【発明の概要】
【発明が解決しようとする課題】
【０００４】
近年、例えば、放電灯などの発光装置は、携帯型端末等に搭載するために、小型化に関する改善が求められている。しかしながら、従来の発光装置の構造は、小型化しにくいという問題点があった。
【０００５】
本発明は、上記の問題点に鑑みてなされたものであり、その目的は、側壁により凹部が設けられたパッケージと透光性部材とを含む容器部材内に、一対の放電電極と放電誘発用電極とを設けることによって、小型化を図るとともに一対の放電電極間の放電を発生しやすくすることができる発光装置を提供することにある。
【課題を解決するための手段】
【０００６】
本発明の一つの態様による発光装置は、側壁により凹部が設けられたパッケージと該パッケージの前記側壁に前記凹部を塞ぐように接合された透光性部材とで内部に形成された放電空間を有する容器部材と、前記放電空間内に封入された不活性ガスと、対向する前記側壁に設けられているとともに、互いに対向するように配置された対向部を有する一対の放電用電極と、前記一対の放電用電極の下方に位置するとともに、平面透視において前記凹部の底面を囲むように前記パッケージの内部に設けられた環状の放電誘発用電極と、を備えており、前記一対の放電用電極は、平面透視において前記対向部が前記放電誘発用電極の内周よりも内側に位置していることを特徴とするものである。
【発明の効果】
【０００７】
本発明の発光装置によれば、側壁により凹部が設けられたパッケージと透光性部材とを含む容器部材内に、一対の放電電極と放電誘発用電極とを設けることによって、小型化を図るとともに一対の放電電極間の放電の発生をしやすくすることができる。
【図面の簡単な説明】
【０００８】
【図１】（ａ）は、本発明の実施形態における発光装置を示す分解斜視図であり、（ｂ）は、（ａ）に示された発光装置の放電誘発用電極を説明するためにパッケージを分解した分解斜視図である。
【図２】図１に示す発光装置の下面側の状態を示す斜視図である。
【図３】（ａ）は、図１に示す発光装置の平面図であり、（ｂ）は、透光性部材を除いた発光装置の平面図であり、（ｃ）は、（ａ）のＡ−Ａ線で切断した断面図であり、（ｄ）は、（ａ）のＡ−Ａ線で切断した切断部端面図である。
【図４】（ａ）は、図３（ａ）のＢ−Ｂ線で切断した断面図であり、（ｂ）は、図３（ａ）のＢ−Ｂ線で切断した切断端面図である。
【図５】（ａ）および（ｂ）は、放電用電極と放電誘発用電極との関係を説明するための説明図である。
【図６】本発発明の実施形態における発光装置の他の例であり、（ａ）は、図３（ａ）のＡ−Ａ線で切断した断面図であり、（ｂ）は、図３（ａ）のＡ−Ａ線で切断した切断端面図である。
【図７】（ａ）および（ｂ）は、本発明の実施形態における発光装置の他の例であり、図３（ａ）のＡ−Ａ線で切断した断面図である。
【図８】本発発明の実施形態における発光装置の他の例であり、（ａ）は、図３（ａ）のＡ−Ａ線で切断した断面図であり、（ｂ）は、図３（ａ）のＢ−Ｂ線で切断した断面図である。
【発明を実施するための形態】
【０００９】
以下、本発明の実施形態に係る発光装置について、図面を参照しながら説明する。なお、以下の説明で用いられる図は模式的なものであり、図面上の寸法比率等は現実のものとは必ずしも一致していない。また、発光装置は、説明の便宜上、直交座標系ＸＹＺを定義するとともに、Ｚ方向の正側を上方として、適宜、上面（表面）もしくは下面の語を用いるものとする。
【００１０】
また、実施形態等の説明において、既に説明した構成と同一若しくは類似する構成については、同一の符号を付して説明を省略することがある。
【００１１】
＜実施の形態＞
本発明の実施の形態に係る発光装置１０について、図１乃至図５を参照しながら以下に説明する。
【００１２】
本発明の一つの実施の形態に係る発光装置１０は、図１乃至図５に示すような構成を備えている。
【００１３】
発光装置１０は、側壁２ａにより凹部２ｂが設けられたパッケージとパッケージ２の側壁２ａに凹部２ｂを塞ぐように接合された透光性部材３とで内部に形成された放電空間Ｓを有する容器部材１と、放電空間Ｓ内に封入された不活性ガス６と、対向する側壁２ａに設けられているとともに、互いに対向するように配置された対向部４ｂを有する一対の放電用電極４と、一対の放電用電極４の下方に位置するとともに、平面透視において凹部２ｂの底面を囲むようにパッケージ２の内部に設けられた環状の放電誘発用電極５と、を備えている。そして、一対の放電用電極４は、平面透視において対向部４ｂが放電誘発用電極５の内周よりも内側に位置している。また、発光装置１０の光出射方向は、Ｚ軸方向の正方向である。
【００１４】
発光装置１０は、一対の放電用電極４間での不活性ガス６の放電による発光を利用した放電灯である。また、パッケージ２とパッケージ２の側壁２ａに接合された透光性部材３とを含む容器部材１と、対向する一対の放電用電極４および放電誘発用電極５とが、発光管を構成している。
【００１５】
容器部材１は、パッケージ２と、パッケージ２の側壁２ａに接合された透光性部材３を含んでいる。容器部材１は、パッケージ２と透光性部材３とによって規定される放電空間Ｓを有している。
【００１６】
また、放電用電極とは、電位差によって気体に絶縁破壊を生じさせて、気体に電流を流すために用いられる電極のことをいい、陽極または陰極である。また、放電誘発用電極とは、放電空間に放電を開始させるために、放電用電極に追加して設けられる電極であり、一対の放電用電極間の気体（不活性ガス）をイオン化させることにより、放電の始動を容易にする電極のことをいう。
【００１７】
発光装置１０は、図１乃至図４に示すように、パッケージ２が、対向する側壁２ａに一対の段差部２ｃを有しており、この一対の段差部２ｃに一対の放電用電極４が設けられている。また、発光装置１０は、長手方向（Ｘ方向）の長さが、例えば、３．２（ｍｍ）〜５０（ｍｍ）であり、短手方向（Ｙ方向）の長さが、例えば、１．２（ｍｍ）〜３０（ｍｍ）であり、高さが、例えば、０．３（ｍｍ）〜５（ｍｍ）であり、図１乃至図５に示すような構成を備えており、小型化、薄型化または低背化を図ることができる。
【００１８】
容器部材１のパッケージ２が対向する側壁２ａに一対の段差部２ｃを有し、この段差部２ｃに一対の放電用電極４が設けられている構成について以下に説明する。なお、後述するように、一対の放電用電極４は、一部が放電空間Ｓ内に露出して、放電用電極４間で放電が生じるように設けられていればよい。
【００１９】
パッケージ２は、図１に示すように、４つの側壁２ａにより凹部２ｂが設けられている。そして、容器部材１は、パッケージ２に一対の放電用電極４を設けるために、対向する側壁２ａ（Ｘ方向の対向する側壁２ａ）のそれぞれに段差部２ｃが設けられており、これらの段差部２ｃが一対の段差部２ｃをなしている。すなわち、パッケージ２は、周縁部の４つの側壁２ａで中央部を含む領域を囲むようにして凹部２ｂが設けられており、長手方向（Ｘ方向）において、互いに対向する一対の側壁２ａの内周側に一対の段差部２ｃが設けられている。このように、容器部材１は、長手方向（Ｘ方向）に一対の放電用電極４を設けることによって、放電空間Ｓにおいて距離の長い長手方向で放電が起り、より多くの不活性ガス６が励起されるので、発光効率を向上させることができる。
【００２０】
また、容器部材１は、パッケージ２に一対の放電用電極４を設けるために、短手方向（Ｙ方向）において、互いに対向する側壁２ａ（Ｙ方向において対向する側壁２ａ）に一対の段差部２ｃが設けられていてもよい。容器部材１は、短手方向（Ｙ方向）に一対の放電用電極４を設けることによって、放電用電極４間の距離が短くなるので、放電が生じやすくなる。
【００２１】
図３に示すように、放電用電極４は段差部２ｃに設けられており、断面視において、段差部２ｃの上面は、凹部２ｂの底面２ｂａ（Ｘ軸）に対して略平行に設けられている。また、略平行とは、段差部２ｃの上面と凹部２ｂの底面２ｂａ（ＸＹ平面）との成す角度が、０（°）〜１０（°）の範囲内であることをいう。なお、角度０（°）が段差部２ｃの上面と底面２ｂａとが平行の場合である。
【００２２】
また、段差部２ｃの上面は、凹部２ｂの底面２ｂａに向かって傾斜していてもよい。すなわち、段差部２ｃは、上面が、凹部２ｂの底面２ｂａ（Ｘ軸）に対して、１０（°）〜６０（°）の範囲内で傾いていてもよい。傾いた段差部２ｃの上面に一対の放電用電極４を設けることによって、擬似的ではあるが、一対の放電用電極４は向き合う面積する増加するになる。このように、一対の放電用電極４は、対向する放電用電極４の面積が増加するので、電極寿命の低下を抑制することができる。
【００２３】
また、一対の段差部２ｃは、凹部２ｂの底面２ｂａからの高さが略同等となるようにパッケージ２の側壁２ａの内周側に設けられている。一対の段差部２ｃの底面２ｂａからの
高さ（側面２ｃａの高さ）は、例えば、１０（μｍ）〜５００（μｍ）である。また、略同等とは、他方の段差部２ｃの底面２ｂａからの高さが、一方の段差部２ｃの底面２ｂａからの高さに対して、６５（％）〜１３５（％）の範囲内にあることをいう。
【００２４】
また、パッケージ２は、実質的に絶縁材料からなり、絶縁材料の例としては、例えば、セラミックスである。パッケージ２は、平面視において略矩形状を有している。
【００２５】
図１および図２に示すように、略矩形状とは、例えば、搬送時または実装時などにおける損傷の可能性を低減させることを目的に、パッケージ２の４つの角部分に内側方向へ曲線状に窪んだ構造を有する形状、また、４つの角部分がＣ面取りまたはＲ面取りされた構造を有する形状を含んでいる。また、平面視とは、図１において、上方からＺ軸の負方向への視線によるものである。この曲線状の窪みは、パッケージ２の角部において、パッケージ２の上面から下面にかけて溝状に設けられている。この窪みの横断面形状は、曲面形状を有しており、例えば、半円形状となっている。なお、この窪みの横断面形状は、半円形状に限らず、半長円形状または半楕円形状等であってもよく、形状は特に限定されない。
【００２６】
また、略矩形状とは、図１および図２に示すように、容器部材１の下面側に、放電用電極４および放電誘発用電極５に接続された外部電極（放電用電極４に接続された外部電極４ａび放電誘発用電極５に接続された外部電極５ａ）を設けることを目的に、容器部材１の側面に内側方向へ曲線状に凹んだ構造を有する形状を含んでいる。この曲線状の凹みの壁面に外部電極４ａおよび外部電極５ａが設けられている。また、曲線状の凹みは、上述の曲線状の窪みと同様に、パッケージ２の側面において、パッケージ２の上面から下面にかけて溝状に設けられている。この凹みの横断面形状は、曲面形状を有しており、例えば、半円形状となっている。なお、この凹みの横断面形状は、半円形状に限らず、半長円形状または半楕円形状等であってもよく、形状は特に限定されない。
【００２７】
透光性部材３は、平面視において略矩形状を有しており、パッケージ２の凹部２ｂを塞ぐようにパッケージ２の側壁２ａの上面に接合されている。略矩形状とは、例えば、組み立て時などにおける損傷の可能性を低減させることを目的に、４つの角部分に外側方向へ曲線状に膨らんだ構造を有する形状を含んでいる。
【００２８】
また、透光性部材３は、図１に示すように、パッケージ２の側壁２ａの内周側に全周にわたって段差部を設けて、この段差部にパッケージ２の凹部２ｂを塞ぐように接合されていてもよい。このように、容器部材１は、パッケージ２と、パッケージ２の側壁２ａに凹部２ｂを塞ぐように接合された透光性部材３とで形成された中空の放電空間Ｓを内部に有することになる。
【００２９】
ここで、透光性部材３における透光性とは、放電空間Ｓ内における発光によって放射された光の少なくとも一部の波長が透過できることをいう。透光性部材３は、実質的に絶縁材料からなり、絶縁材料の例としては、ガラスである。また、絶縁材料の他の例は、サファイアまたは透光性セラミックスである。
【００３０】
透光性部材３がガラスからなる場合、透光性部材３は、ガラス接合によってパッケージ２に固定されている。透光性部材３がサファイアまたは透光性セラミックスからなる場合、透光性部材３は、ガラス接合または焼結接合によってパッケージ２に固定されている。焼結接合とは、パッケージ２と透光性部材３とを、接合用治具を使用して被接合面を接触させた状態にて高温処理することによりパッケージ２に含まれるガラス質を接合材として機能させて接合させることをいう。
【００３１】
透光性部材３は、焼結接合によってパッケージ２の側壁２ａに接合されていることによって、発光装置１０は、使用耐性に関して改善されている。
【００３２】
また、透光性部材２は、サファイアを用いることにより、発光装置１０は、使用耐性に関して改善されている。
【００３３】
放電空間Ｓは、平面視において略矩形状を有している。略矩形状とは、例えば、組み立て時などにおける損傷の可能性を低減させることを目的に、４つの角部分に外側方向へ曲線状に膨らんだ構造を有する形状を含んでいる。また、容器部材１において、放電空間Ｓは、縦断面においてパッケージ２の段差部２ｃを有する側壁２ａで形成される凹部２ｂと透光性部材３とによって規定される。
【００３４】
放電空間Ｓ内には、不活性ガスが封入されている。不活性ガス６は、例えば、キセノン（Ｘｅ）を主成分とするものである。
【００３５】
一対の放電用電極４は、図３に示すように、一端部側（側面２ｃａ側）が段差部２ｃに設けられて、上面の一部が放電空間Ｓ内に露出しており、他端部側の残りの部分がパッケージ２の側壁２ａの内部に設けられている。一対の放電用電極４は、図３においては、先端が段差部２ｃの側面２ｃａと面同一となるように設けられている。また、一対の放電用電極４は、対向部４ｂが放電誘発用電極５の内周よりも内側に位置していれば、段差部２ｃの側面２ｃａよりも外側に位置するように段差部２ｃの上面に設けられていてもよい。
【００３６】
このように、一対の放電用電極４は、図３に示すように、パッケージ２の互いに対向する側壁２ａの段差部２ｃに設けられているとともに、互いに対向するように配置された対向部４ｂを有している。このように、一対の放電用電極４は、対向部４ｂが放電空間Ｓ内に互いに対向して位置するように設けられている。すなわち、一対の放電用電極４は、放電空間Ｓ内で放電を発生させるために、放電空間Ｓ内に少なくとも一部が露出するように、パッケージ２の側壁２ａの段差部２ｃの上面に設けられている。
【００３７】
また、放電用電極４は、図３に示すように、段差部２ｃの上面の全てを覆うように設けられている。また、放電用電極４は、段差部２ｃの上面のＹ方向の両側の一部が露出するように段差部２ｃの上面に設けられていてもよい。
【００３８】
一対の放電用電極４は、段差部２ｃの上面に設けられているので、放電用電極４とパッケージ２の底面２ｂａとの間での放電、所謂沿面放電が生じにくく、発光効率の低下を抑制することができる。
【００３９】
また、図３に示すように、一対の放電用電極４は、互いの先端部が対向部４ｂであり、先端同士が互いに対向するように放電空間Ｓ内に配置されている。また、一対の放電用電極４の対向部４ｂ間の間隔は、例えば、３（ｍｍ）〜２０（ｍｍ）である。
【００４０】
また、対向する一対の段差部２ｃのそれぞれの高さ（側面２ｃａの側面の高さ）は、他方の段差部２ｃの底面２ｂａからの高さが、一方の段差部２ｃの底面２ｂａからの高さに対して、６５（％）〜１３５（％）の範囲内になるように設けられる。したがって、Ｚ方向において、一対の段差部２ｃのそれぞれの高さは上記の範囲内にあり、この段差部２ｃに一対の放電用電極４が設けられる場合には、一対の放電用電極４は、互いに対向するように配置された対向部４ｂを有しているものとする。すなわち、Ｚ方向において、一対の放電用電極４は、対向部４ｂが上記の範囲内でずれていてもよい。また、一対の放電用電極４は、Ｚ方向において互いに対向するように配置された対向部４ｂを有していれば、放電用電極４がＹ方向にずれていてもよい。
【００４１】
一対の放電用電極４は、図１乃至図３に示すように、パッケージ２の長手方向（Ｘ方向）のそれぞれの側面において、容器部材１の放電空間Ｓ内から外部電極４ａによって容器部材１の下面側に引き出されており、放電用電極４と外部電極４ａとは、電気的および物理的に接合されている。なお、外部電極４ａは、容器部材１の下面に設けられている電極も含んでいる。また、外部電極４ａの材料例は、例えば、タングステン、モリブデン、マンガン、ストロンチウム、ランタンまたは白金等である。
【００４２】
また、一対の放電用電極４のうち、一方の放電用電極４が陽極であり、他方の放電用電極４が陰極である。一方の放電用電極４が陽極の場合には、放電用電極４の材料例は、タングステンなどを含む高融点金属である。
【００４３】
また、他方の放電用電極４が陰極の場合には、放電用電極４の材料例は、主成分であるタングステンの他に、電子放出特性に優れた酸化ランタン、酸化イットリウムまたは酸化セリウムを含むことが好ましい。放電用電極４は、電極の厚みが、例えば、５（μｍ）〜５００（μｍ）である。
【００４４】
放電誘発用電極５は、図３および図４に示すように、一対の放電用電極４の下方に位置するとともに、平面透視において凹部２ｂの底面２ｂａを囲むようにパッケージ２の内部に設けられており、また、図１に示すように、環状の形状を有している。
【００４５】
このように、放電誘発用電極５は、一対の放電用電極４の下方に位置しており、放電空間Ｓ内に露出しないように、容器部材１の内部に設けられている。すなわち、放電誘発用電極５は、図３および図４に示すように、パッケージ２の内部の側壁２ａの周辺部に設けられている。そして、一対の放電用電極４は、図３および図５に示すように、平面透視において対向部４ｂが環状の放電誘発用電極５の内周よりも内側に位置している。
【００４６】
また、放電誘発用電極５は、電極の厚みが、例えば、５（μｍ）〜３００（μｍ）であり、電極の幅が、例えば、３０（μｍ）〜５００（μｍ）である。
【００４７】
また、図５（ａ）に示すように、放電用電極４は、平面視において、放電誘発用電極５の内周と放電用電極４の先端との距離Ｌは、例えば、１０（μｍ）〜５００（μｍ）である。また、一対の放電用電極４は、Ｘ方向において、対向部４ｂ同士が環状の放電誘発用電極５の内周よりも内側に位置していれば、距離Ｌは、同じであっても異なっていてもよい。
【００４８】
また、平面透視で放電用電極５と放電誘発用電極５とが重なっている部分において、図５（ｂ）に示すように、断面視において放電用電極４と放電誘発用電極５との間隔Ｚは、例えば、２５（μｍ）〜３００（μｍ）である。環状の放電誘発用電極５が放電用電極４に接触しない範囲であれば、放電を誘発しやすくするために、距離Ｚは短いほうが好ましい。
【００４９】
また、パッケージ２の側壁２ａの内周面（側面２ｃａ）と放電誘発用電極の内周との距離Ｘは、例えば、１０（μｍ）〜５００（μｍ）である。距離Ｘは、環状の放電誘発用電極５が側壁２ａの内周面に露出しない範囲であれば、放電を誘発しやすくするために、距離Ｘは短いほうが好ましい。
【００５０】
放電誘発用電極５は、図１乃至図３に示すように、パッケージ２の短手方向（Ｙ方向）のそれぞれの側面において、容器部材１の内部から外部電極５ａによって容器部材１の下面側に引き出されており、放電誘発用電極５と外部電極５ａとは、電気的および物理的に
接合されている。なお、外部電極５ａは、容器部材１の下面に設けられている電極も含んでいる。また、外部電極５ａの材料例は、例えば、タングステン、モリブデン、ストロンチウム、ランタン、マンガンまたは白金等である。
【００５１】
また、放電誘発用電極５の材料例は、タングステン、モリブデン、ストロンチウム、ランタン、マンガンまたは白金などの高融点金属である。発光装置１０は、放電誘発用電極５を含んでいることにより、予備放電を有することになる。したがって、発光装置１０は、一対の放電用電極４および放電誘発用電極５によって、主放電の開始が安定することになる。
【００５２】
本実施形態の発光装置１０は、一対の放電用電極４と、環状の放電誘発用電極５を含んでおり、一対の放電用電極４が、平面透視において、対向部４ｂが環状の放電誘発用電極５の内周よりも内側に位置していることにより、小型化を図りつつ一対の放電電極４間の放電の発生をしやすくすることができる。
【００５３】
発光装置１０は、放電誘発用電極５が放電用電極４の周辺のパッケージ２の内部に設けられており、Ｘ方向またはＺ方向において、放電用電極４と放電誘発用電極５との距離を短くすることができるので、放電誘発用電極５によって放電空間Ｓ内での放電が誘発されやすくなる。
【００５４】
また、発光装置１０は、環状の放電誘発用電極５により、不活性ガス６全体をイオン化することができるとともに、特に、放電用電極４付近の不活性ガス６をイオン化することができるので、一対の放電用電極４間に放電を発生しやすくなる。
【００５５】
また、一対の放電用電極４が、平面透視において、対向部４ｂが環状の放電誘発用電極５の内周よりも内側に位置し、放電用電極４の下方に放電誘発用電極５が位置しているので、容器部材１がパッケージ２の内部に放電空間Ｓを十分に確保することができるとともに、放電用電極４の電極面積が大きくなり、放電用電極４と放電誘発用電極５との間で放電を効果的に生じさせることができる。
【００５６】
また、発光装置１０は、容器部材１の下面に外部電極を有する表面実装型にすることにより、省スペース化を図ることができる。本実施形態の発光装置１０は、小型化、薄型化または低背化が可能であり、例えば、電子機器などに搭載されることが可能となる。電子機器は、例えば、デジタルカメラ、カメラ付き携帯電話、カメラ付きスマートフォン等である。
【００５７】
環状の放電誘発用電極５は、凹部２ｂの底面を囲むとともに放電空間Ｓに露出しないようにパッケージ２の内部に設けられているので、発光装置１０は、放電空間Ｓ内で放電誘発用電極５が起因となるような発光の乱反射が生じにくくなる。
【００５８】
また、発光装置１０は、発光の妨げにならないように、環状の放電誘発用電極５が放電空間Ｓに露出しないように一対の放電用電極４の下方のパッケージ２の内部に設けられているので、発光量の低下が抑制される。
【００５９】
本実施形態の発光装置１０は、セラミックスからなるパッケージ２を含んでいることにより、使用耐性に関して改善されている。
【００６０】
また、発光装置１０Ａは、一対の放電用電極４は、図６に示すように、上面の先端部から下方（底面２ｂａ側）に向かって側壁２ａの内周面に沿って延在するような構成であってもよい。この場合には、一対の放電用電極４は、上面の先端部から下方に延在した部分
が対向部４ｂであり、この対向部４ｂは平面形状を有している。このように、発光装置１０Ａにおいて、放電用電極４は、対向部４ｂが平面形状を有しているので、陰極の放電用電極４から放出された電子による劣化が低減されて、電極寿命の低下が抑制される。また、発光装置１０Ａは、放電用電極４と放電誘発用電極５との距離を短くすることができるので、放電誘発用電極５によって放電空間Ｓ内での放電が誘発されやすくなる。
【００６１】
また、放電用電極４は、平面状の電極が放電空間Ｓに露出しており、不活性ガス（Ｘｅ）６中において、露出している平面状の電極のエッジ部から、対向する平面状の電極に対して距離が一番短い部分に放電することになる。放電用電極４は、局所的に放電した部分が摩耗して丸みを帯びることにより、次回の放電では、平面状の電極の別のエッジ部から放電することになる。このように、放電用電極４は、平面状の電極を有しているので、放電する位置が変化することにより、電極の摩耗が効果的に抑制される。
【００６２】
本発明は上述の実施の形態の発光装置１０に限定されるものではなく、本発明の要旨を逸脱しない範囲において種々の変更、改良等が可能である。以下に本発明の他の実施の形態について説明する。なお、他の実施の形態に係る発光装置のうち、実施の形態に係る発光装置１０と同様な部分については、同一の符号を付して適宜説明を省略する。
【００６３】
発光装置１０Ｂにおいて、図７（ａ）に示すように、一対の放電用電極４は、側壁２ａの内部からの内周面に到達するようにパッケージ２の側壁２ａに設けられ、内周面に到達した部分から側壁２ａの内周面の上方および下方に沿って延在するように平面状の電極が設けられていてもよい。この場合には、側壁２ａの内周面に設けられた平面状の電極が対向部４ｂであり、平面状の電極同士が互いに対向するように放電空間Ｓ内に配置されている。なお、発光装置１０Ｂは、側壁２ａに段差部を有していない。
【００６４】
発光装置１０Ｃは、図７（ｂ）に示すように、一対の放電用電極４は、側壁２ａの内部から内周面に到達するようにパッケージ２の側壁２ａに設けられ、内周面に到達した部分から側壁２ａの内周面の下方に沿って延在するように平面状の電極が設けられていてもよい。この場合には、側壁２ａの内周面に設けられた平面状の電極が対向部４ｂであり、平面状の電極同士が互いに対向するように放電空間Ｓ内に配置されている。なお、発光装置１０Ｃは、側壁２ａに段差部を有していない。
【００６５】
このように、発光装置１０Ｂおよび発光装置Ｃは、放電用電極４は、互いに対向する対向部４ｂが平面形状を有しているので、陰極の放電用電極４から放出された電子による劣化が低減されて、放電用電極４の電極寿命の低下が抑制される。また、発光装置１０Ｂは、放電誘発用電極５を放電用電極４の周辺のパッケージ２の内部に設けており、Ｘ方向またはＺ方向において、放電用電極４と放電誘発用電極５との距離を短くすることができるので、放電誘発用電極５によって放電空間Ｓ内での放電が誘発されやすくなる。
【００６６】
また、放電用電極４は、平面状の電極が放電空間Ｓに露出しており、不活性ガス（Ｘｅ）６中において、露出している平面状の電極のエッジ部から、対向する平面状の電極に対して距離が一番短い部分に放電することになります。放電用電極４は、局所的に放電した電極部分が摩耗して丸みを帯びることにより、次回の放電では、平面状の電極の別のエッジ部から放電することになる。このように、放電用電極４は、平面状の電極を有しているので、放電する位置が変化することにより、電極の摩耗が効果的に抑制される。
【００６７】
また、発光装置１０Ｄにおいて、図８（ａ）に示すように、放電誘発用電極５は、放電空間Ｓを複数個所取り囲んで設けられていてもよい。パッケージ２の内部に環状の放電誘発用電極５を多段に配置したことで、トリガーから発生する電界がより広範囲の不活性ガス６をイオン化することができ、発光時の放電電圧を効果的に下げることができる。
【００６８】
また、図８（ｂ）に示すように、パッケージ２の内部であって、平面視して、放電空間Ｓと重なる領域に平面状放電誘発用電極５ｂが設けられていてもよい。平面状放電誘発用電極５ｂは、パッケージ２の側面の外部電極５ａと接続されており、放電誘発用電極５の一部として機能する。放電誘発用電極５は、凹部２ｂの底面２ｂａの面積よりも大きく、放電空間Ｓ内の不活性ガス６を下方からも電界をかけてイオン化しやすくすることができる。
【００６９】
本発明は、上述した実施の形態および他の実施の形態に特に限定されるものではなく、本発明の範囲内で種々の変更および改良が可能である。
【００７０】
例えば、発光装置１０において、側壁２ａの側面２ｃａに曲線状の凹みを設けて、段差部２ｃの上面に放電用電極４を設けるとともに、曲線状の凹みを埋めるように放電用電極４を設けてもよい。
【００７１】
また、例えば、側壁２ａの側面２ｃａに曲線状の凹みを設けて、段差部２ｃの上面に放電用電極４を設けるとともに、曲線状の凹みの内壁面に放電用電極４を設けてもよい。
【符号の説明】
【００７２】
１  容器部材
２  パッケージ
２ａ  側壁
２ｂ  凹部
２ｃ  段差部
３  透光性部材
４  放電用電極
５  放電誘発用電極
６  不活性ガス
１０、１０Ａ、１０Ｂ，１０Ｃ  発光装置
Ｓ  放電空間
【図１】
0006352776.tif 000002
【図２】
0006352776.tif 000003
【図３】
0006352776.tif 000004
【図４】
0006352776.tif 000005
【図５】
0006352776.tif 000006
【図６】
0006352776.tif 000007
【図７】
0006352776.tif 000008
【図８】
0006352776.tif 000009